(57)【要約】【課題】  送信信号の認識率を高め、遠隔操作による施解錠の信頼性を向上した遠隔施解錠装置を提供することを課題とする。【解決手段】  送信機１から送信された施解錠信号、ならびに２値化された施解錠信号の各ビットの値を反転したビット反転値で構成される反転施解錠信号を制御回路２で受信し、制御回路２のＣＰＵ２１３によって施解錠信号と反転施解錠信号とを対応する各ビット毎に比較し、比較結果に基づいて施解錠信号を補正して構成される。【選択図】  図１
2005076190.tif 000002
【特許請求の範囲】
【請求項１】
電気錠の施錠ならびに解錠に必要な施解錠信号を送信する送信機と、
前記送信機から送信された信号を受信する受信機となり、受信した前記送信機から送信された信号に基づいて、電気錠を施錠ならびに解錠を制御する制御回路と
を有する遠隔施解錠装置において、
前記送信機は、２値化された前記施解錠信号の各ビットの値を反転したビット反転値で構成される反転施解錠信号を、前記施解錠信号と共に送信し、
前記制御回路は、前記送信機から送信された前記施解錠信号ならびに反転施解錠信号を受信し、前記施解錠信号と前記反転施解錠信号とを対応する各ビット毎に比較し、比較結果に基づいて前記施解錠信号を補正する
ことを特徴とする遠隔施解錠装置。
【請求項２】
前記制御回路は、前記施解錠信号と前記反転施解錠信号とを対応する各ビット毎に比較した比較結果において、ビット値が一致した場合には、一致したビットの前記施解錠信号のビット値を反転して補正する
ことを特徴とする請求項１記載の遠隔施解錠装置。
【請求項３】
前記送信機から送信される情報は、電波の有無により“０”又は“１”のビット列に２値化されている
ことを特徴とする請求項１又は２に記載の遠隔施解錠装置。
【発明の詳細な説明】
【技術分野】
【０００１】
本発明は、遠隔操作によりドアロックの施解錠を制御する遠隔施解錠装置に関する。
【背景技術】
【０００２】
従来、この種の技術としては、例えば以下に示す文献に記載されものが知られている（特許文献１、特許文献２参照）。これらの文献には、送信機から送信される赤外線や電磁波等を受信機で受信し、受信機で受信された信号に含まれる識別コードが正規の識別コードであれば、ドアロックの施解錠を遠隔操作で行うことができる技術が開示されている。識別コードは、送信機ならびに受信機において予め登録され、他の送信機と区別するためにコード化された情報として設定される。
【０００３】
このような遠隔操作により施解錠を行う装置において、送信機と受信機との間で行われる電波による通信方式には、例えば２値化された通信情報を、電波を送信するか否か、すなわち電波の有無によって表して通信する、所謂ＯＯＫ（ＯＮ−ＯＦＦ  ＫＥＹＩＮＧ）方式のものがある。このような通信方式では、例えば“１”の情報は電波を送信し、“０”の情報は電波を送信しないことで表現し、これらの組み合わせにより通信情報を通信していた。したがって、比較的簡易な構成でかつ安価に通信が実現されていた。
【特許文献１】特開２０００−３５０２７４
【特許文献２】特開２００３−７４２３７
【発明の開示】
【発明が解決しようとする課題】
【０００４】
しかし、上述した通信方式にあっては、電波の有無で通信情報を表しているため、通信時にノイズが混入した場合には、送信信号を正確に受信できず、受信信号に誤りが生じやすかった。すなわち、送信された情報の内、電波がない（電波が送信されない）ことで表された“０”の情報の部分にノイズが入ることで、この部分が電波がある（電波が送信される）として受信機側で受信されていた。このため、“０”の送信情報が“１”の情報として誤って受信され、送信信号を正確に受信できず、通信エラーが発生していた。
【０００５】
したがって、送信信号にノイズが混入して通信エラーが発生すると、送信機となる、登録済みの正規のリモコンキーから正規の信号を送信したにもかかわらず、受信機側では受信した信号が登録済みの正規のリモコンキー（送信機）から送信された信号であると認識することができなかった。このため、遠隔操作により正規のリモコンキーで施解錠を行うことができないという不具合を招いていた。
【０００６】
そこで、本発明は、上記に鑑みてなされたものであり、その目的とするところは、送信信号の認識率を高め、遠隔操作による施解錠の信頼性を向上した遠隔施解錠装置を提供することにある。
【課題を解決するための手段】
【０００７】
上記目的を達成するために、本発明の課題を解決する第１の手段は、電気錠の施錠ならびに解錠に必要な施解錠信号を送信する送信機と、前記送信機から送信された信号を受信する受信機となり、受信した前記送信機から送信された信号に基づいて、電気錠を施錠ならびに解錠を制御する制御回路とを有する遠隔施解錠装置において、前記送信機は、２値化された前記施解錠信号の各ビットの値を反転したビット反転値で構成される反転施解錠信号を、前記施解錠信号と共に送信し、前記制御回路は、前記送信機から送信された前記施解錠信号ならびに反転施解錠信号を受信し、前記施解錠信号と前記反転施解錠信号とを対応する各ビット毎に比較し、比較結果に基づいて前記施解錠信号を補正することを特徴とする。
【０００８】
第２の手段は、前記第１の手段において、前記制御回路は、前記施解錠信号と前記反転施解錠信号とを対応する各ビット毎に比較した比較結果において、ビット値が一致した場合には、一致したビットの前記施解錠信号のビット値を反転して補正することを特徴とする。
【０００９】
第３の手段は、前記第１又は第２の手段において、前記送信機から送信される情報は、電波の有無により“０”又は“１”のビット列に２値化されていることを特徴とする。
【発明の効果】
【００１０】
本発明によれば、施解錠信号と反転施解錠信号とを対応する各ビット毎に比較し、比較結果に基づいて施解錠信号を補正するようにしたので、受信機側での送信信号の認識率が高められ、遠隔操作による施解錠の信頼性を向上させることができる。
【発明を実施するための最良の形態】
【００１１】
以下、図面を用いて本発明を実施するための最良の実施例を説明する。
【実施例１】
【００１２】
図１は本発明の実施例１に係る遠隔施解錠装置の構成を示す図である。図１に示す実施例１の遠隔施解錠装置は、ユーザが携帯して遠隔操作でドアロックの施解錠を制御指示する送信機１と、送信機１から送信された信号を受信する受信機となり、受信した信号に基づいてドアロックの施解錠を制御する制御回路２を備えて構成される。
【００１３】
送信機１は、電波により上述した識別コード、ならびに施錠又は解錠を指令する情報を含む信号を送信する。送信される信号は、例えば図２に示すようにコード化され、トリガコード、第１フレームならびに第２フレームで構成されている。
【００１４】
トリガコードは、受信機側を受信可能状態にする情報で構成されている。第１フレームは、それぞれ数ビットからなるＮ個のコード１〜Ｎと、それぞれのコード１〜Ｎの値を加算した加算値の内、コード１〜Ｎのビット数と同じビット数の下位側のビットからなるチェックサムで構成されている。チェックサムは、その値を参照することによりコード１〜Ｎのビット反転によるビットエラーが検出される。
【００１５】
第２フレームは、第１フレームのコード１〜Ｎにそれぞれ対応したコード１のビット反転、コード２のビット反転、…、コードＮのビット反転、チェックサムのビット反転から構成されている。コード１のビット反転は、第１フレームのコード１を構成するビットの値を反転した値で構成されている。例えばコード１が４ビットの“０１０１”で構成されている場合には、コード１のビット反転は“１０１０”で構成される。コード２のビット反転、…、コードＮのビット反転、チェックサムのビットビット反転も、コード１と同様に、対応するコード２、…コードＮ、チェックサムのビットの値を反転した値で構成されている。
【００１６】
図１に戻って、制御回路２は、施解錠が行われる扉側に設置され、同じ扉に設けられた電池ケース３に収納された電池４から電源が供給され、モータユニット５を駆動制御してデッドボルト（図示せず）を家屋の壁面側に形成される係合穴に対して進退動作させ、電気錠の施錠、解錠を切り換える。
【００１７】
制御回路２は、送信機１から送信された信号を受信し、受信した信号をＣＰＵ２１３に与える受信回路２０１、電池４から電源を受けてＣＰＵ２１３に電源を供給する電源回路２０２、電池４の交換等により電源の供給が停止した際にＣＰＵ２１３をリセットするリセット回路２０３、電池４の電圧を検出する電圧検出回路２０４、ＣＰＵ２１３から与えられる指令に基づいて電池ケース３のケースカバー６を開閉駆動するアクチュエータ７の駆動を制御するケースカバーアクチュエータ制御回路２０５、送信機１を他と区別して識別する識別コードを記憶するコード記憶回路２０６、リセットＳＷ（スイッチ）から与えられたリセット信号をＣＰＵ２１３に入力するリセットＳＷ入力回路２０７、ＣＰＵ２１３から与えられる指令に基づいてモータユニット５を駆動制御する施解錠制御回路２０８、所定の状態を報知するブザー２０９、ＣＰＵ２１３から与えられる指令に基づいてブザー２０９を吹鳴制御するブザー出力回路２１０、施解錠の状態等を表示するＬＥＤ表示器２１１、ＣＰＵ２１３から与えられる指令に基づいてＬＥＤ表示器２１１を点灯制御するＬＥＤ出力回路２１２ならびにＣＰＵ２１３を備えて構成されている。
【００１８】
ＣＰＵ２１３は、プログラムに基づいて各種動作処理を制御するコンピュータに必要な、記憶部、入出力部等の資源を備えた例えばマイクロコンピュータ等により構成され、この実施例１の遠隔施解錠装置の制御中枢として機能し、後述するこの実施例１の動作処理を含めて必要となる種々の処理を、予め用意されて記憶部等に格納されたプログラムに基づいて制御し実行する。
【００１９】
ＣＰＵ２１３は、図２に示すようにコード化されて構成され送信機１から送信された信号を受信した際に、通信エラーが発生して送信コードの第１フレームのビットの値が誤認識された場合には、受信した送信コードの第１フレームと第２フレームの比較結果に基づいて第１フレームの補正処理を行い、送信コードの認識処理を行う。
【００２０】
次に、補正処理の手順を示す図３のフローチャート、ならびに補正処理の一例を示す図４を参照して、補正処理を説明する。
【００２１】
図３において、まず送信機１から信号が送信され、送信された信号の制御回路２での受信が開始されると（ステップＳ３１）、送信機１から送信された信号の送信コードを制御回路２の受信回路２０１で受信したか否かを判別する（ステップＳ３２）。判別結果において、送信コードを受信回路２０１で受信し、受信した送信コードがＣＰＵ２１３に入力されると、ＣＰＵ２１３で補正処理を行うか否かを判別する。すなわち、受信した送信コードの第１フレームのチェックサムを参照し、第１フレームのコード１〜Ｎにエラーが発生しているか否かを判別する（ステップＳ３３）。判別結果において、チェックサムの参照により第１フレームの送信コードが正常に受信されている場合には、第１フレームの送信コードの情報に基づいてＣＰＵ２１３から施解錠制御回路２０８に指令が与えられ、施錠又は解錠動作が行われる（ステップＳ３６）。
【００２２】
一方、ステップＳ３３に示す処理の判別結果において、チェックサムの参照により第１フレームにエラーが発生し、第１フレームの送信コードが正確に受信できなかった場合には、第２フレームの送信コードに基づいて第１フレームの補正処理を行う。すなわち、第１フレームのコード１〜コードＮの何れかのビットにノイズが混入し、“０”の値が“１”の値として認識されてしまった場合には、第１フレームと第２フレームの比較結果にしたがって補正を行う（ステップＳ３４）。
【００２３】
例えば、図４（ａ）に示すように、第１フレームのコード１が“５”（１０１０）を表し、第１フレームのコード２が“７”（０１１１）を表し、第２フレームのコード１のビット反転が（０１０１）となり、コード２のビット反転が（１０００）となっている場合に、同図（ｂ）に示すように、第１フレームのコード１の例えば４ビット目にノイズが混入して、“０”の値が“１”の値として認識された場合で説明する。なお、図４において、コード１、２は左方向から右方向に向かって送信順に下位側ビットから順に図示している。
【００２４】
このような場合に、受信された送信コードの第１フレームと第２フレームのそれぞれ対応するビットの値を比較する。比較結果において、ノイズの混入によりコード１の４ビット目が“１”と認識されているので、第１フレームと第２フレームのコード１の４ビット目でビットの値が一致する。これにより、一致したビットにエラーが発生してビット反転が生じていると判断し、図４（ｃ）に示すように、第１フレームの一致したビット、すなわちコード１の４ビット目の値の“１”を“０”の値に置き換えて補正する。
【００２５】
次に、第１フレームと第２フレームの比較結果により補正を行った後、第１フレームのチェックサムを参照して、第１フレームのコードにエラーが発生していないか否かを判別する（ステップＳ３５）。判別結果において、補正の結果エラーが発生していないと判別された場合には、補正後の第１フレームの送信コードの情報に基づいてＣＰＵ２１３から施解錠制御回路２０８に指令が与えられ、施錠又は解錠動作が行われる（ステップＳ３６）。一方、補正の結果エラーが発生していると判別された場合には、ステップＳ３１に戻る。
【００２６】
以上説明したように、上記実施例１においては、施解錠に必要な各種情報を示す第１フレームのビット反転で構成された第２フレームを第１フレームと共に送信し、第１フレームと第２フレームの比較結果に基づいて、エラーが発生した第１フレームのビットを補正するようにしたので、エラーが発生した場合であっても送信信号を正規の信号として読み取る認識率を高めることができる。これにより、送信機からの遠隔操作による施解錠動作の信頼性を向上させることができる。
【図面の簡単な説明】
【００２７】
【図１】本発明の実施例１に係る遠隔施解錠装置の構成を示す図である。
【図２】送信信号の構成を示す図である。
【図３】本発明の実施例１の処理動作を示すフローチャートである。
【図４】送信信号の補正処理の一例を示す図である。
【符号の説明】
【００２８】
１…送信機
２…制御回路
３…電池ケース
４…電池
５…モータユニット
６…ケースカバー
７…アクチュエータ
２０１…受信回路
２０２…電源回路
２０３…リセット回路
２０４…電圧検出回路
２０５…ケースカバーアクチュエータ制御回路
２０６…コード記憶回路
２０７…入力回路
２０８…施解錠制御回路
２０９…ブザー
２１０…ブザー出力回路
２１１…ＬＥＤ表示器
２１２…ＬＥＤ出力回路
２１３…ＣＰＵ
【図１】
2005076190.tif 000003
【図２】
2005076190.tif 000004
【図３】
2005076190.tif 000005
【図４】
2005076190.tif 000006